(57)【要約】【課題】外観上の調和が取れた構築物に修復可能な構築物の補修部材及び補修方法を提供する。【解決手段】構築物の補修部材１０であって、直角三角形状の板材からなる第一面体１２と、第一面体に対し垂直に接する直角三角形状の板材からなる第二面体１４と、第一面体および第二面体に対し垂直に接する直角三角形状の板材からなる第三面体１６とを有する三角錐状の本体６０と、第一面体、第二面体および第三面体が共有する第一頂部３２の内壁に固定端４４が接合され、他端部４６が自由端となるシャフト４０とを備える。【選択図】図１
2018131778.tif 000002
【特許請求の範囲】
【請求項１】
構築物の補修部材（１０、２１０、３１０）であって、
直角三角形状の板材からなる第一面体（１２、２１２、３１２）と、前記第一面体に対し垂直に接する直角三角形状の板材からなる第二面体（１４、２１４、３１４）と、前記第一面体及び前記第二面体に対し垂直に接する直角三角形状の板材からなる第三面体（１６、２１６、３１６）とを有する本体（６０）と、
前記第一面体、前記第二面体及び前記第三面体が共有する第一頂部（３２）の内壁に固定端（４４）が接合され、他端部が自由端（４６）となるシャフト（４０、２４０、３４０）とを備えた、構築物の補修部材。
【請求項２】
前記第一面体（１２、２１２）が直角二等辺三角形である、請求項１に記載の構築物の補修部材。
【請求項３】
前記第一面体（１２）と、前記第二面体（１４）と、前記第三面体（１６）とが直角二等辺三角形である、請求項１に記載の構築物の補修部材。
【請求項４】
前記第一面体と、前記第二面体と、前記第三面体と、前記シャフトとが金属である、請求項１から３のいずれか一項に記載の構築物の補修部材。
【請求項５】
前記第一面体と、前記第二面体と、前記第三面体と、前記シャフトとが樹脂である、請求項１から３のいずれか一項に記載の構築物の補修部材。
【請求項６】
前記第一面体と、前記第二面体と、前記第三面体との接合部が外側に凸形状である、請求項１から５のいずれか一項に記載の構築物の補修部材。
【請求項７】
前記シャフト（２４０、３４０）は、外周壁の少なくとも一部に表面積が増大する面積増大部を有する、請求項１から６のいずれか一項に記載の構築物の補修部材。
【請求項８】
前記面積増大部は、前記シャフトの外周壁をリング状に取り巻く凸部（２４２）である、請求項７に記載の構築物の補修部材。
【請求項９】
前記面積増大部は、前記シャフトの外周壁の一部に形成された粗面（３４２）であり、前記粗面の面粗さは、前記粗面が形成されていない部分の前記シャフトの面粗さよりも大きい、請求項７に記載の構築物の補修部材。
【請求項１０】
請求項１から請求項９のいずれかに一項に記載の構築物の補修部材を用いた構築物の補修方法であって、
天板（１１０）と第一側面板（１１２）と第二側面板（１１４）とを前記構築物の補修部材の形状に合わせて削り、構築物の隅角部に底面（１３０）を形成する工程（Ｓ２）と、
前記底面に接合孔（１４０）を開口する工程（Ｓ３）と、
前記底面と前記接合孔に接着剤（１５０）を塗布する工程（Ｓ４）と、
前記接合孔に前記構築物の補修部材の前記シャフトを挿入し、前記第一面体と天板（１１０）とが同一平面になり、前記第二面体と第一側面板（１１２）とが同一平面になり、前記第三面体と構築物の第二側面板（１１４）とが同一平面になるように位置合わせして前記構築物の補修部材を取り付ける工程（Ｓ５）とを含む、構築物の補修方法。
【発明の詳細な説明】
【技術分野】
【０００１】
本発明は、隅角部が形成される構築物の補修部材及び補修方法に関する。
【背景技術】
【０００２】
構築物として階段を例にとる。タイルなどで構成される階段は、高低差のある複数の平坦面を有している。この平坦面の端に隅角部が形成される階段は、その隅角部に重量物の落下による衝撃や、歩行者の靴底による衝撃が加わると、隅角部が欠損または欠落することがある。
【０００３】
従来、階段の隅角部が欠損または欠落したときの階段を補修する方法として、欠損または欠落した隅角部を構成するタイル等を剥離し、剥離した箇所に新たなタイル等を貼り替える方法が知られている。
この補修方法によると、作業が煩雑になる上、階段の隅角部に重量物の落下や歩行者の靴底により再び衝撃が加わると、階段の隅角部が再度欠落してしまう虞がある。また、階段の隅角部が三枚のタイルで構成される場合、その三枚のタイルのうち一枚のタイルのみを剥離し、その剥離した箇所を新たなタイルに貼り替えると、残された他の二枚のタイルの色調と新たなタイルの色調とが異なり、調和のとれた外観にならず、美感を損なうことがあった。
階段の欠落部を補修する技術に関し、特許文献１には、階段の踏み面部と蹴り面部を保護するカバー部材が開示されている。
【先行技術文献】
【特許文献】
【０００４】
【特許文献１】特開２００３−１８４２５２号公報
【発明の概要】
【発明が解決しようとする課題】
【０００５】
本発明は上記課題を鑑みて創作されたものであり、その目的は、剛性が高く重量物の落下による衝撃や、歩行者による繰り返しの靴底による衝撃が加わっても、構築物の隅角部が欠落せず、外観上の調和がとれた構築物に修復可能な構築物の補修部材及び補修方法を提供することにある。
【課題を解決するための手段】
【０００６】
本発明の第一の態様は構築物の補修部材であって、
直角三角形状の板材からなる第一面体と、第一面体に対し垂直に接する直角三角形状の板材からなる第二面体と、第一面体及び第二面体に対し垂直に接する直角三角形状の板材からなる第三面体とを有する本体と、第一面体、第二面体及び第三面体が共有する第一頂部の内壁に固定端が接合され、他端が自由端となるシャフトと、を備えている。
構築物の補修部材を、欠落部のある構築物の隅角部に取り付けることで、重量物の落下や、歩行者による靴底面の繰り返し衝撃が加わっても、隅角部は欠落しにくくなる上、調和のとれた美感が得られる。
【０００７】
本発明の第二の実施の態様は第一の実施の態様に記載した構築物の補修部材を使用する構築物の補修方法であって、
天板と第一側面板と第二側面板とを構築物の補修部材の形状に合わせて削り、構築物の隅角部に底面を形成する工程と、底面に接合孔を開口する工程と、底面と接合孔に接着剤を塗布する工程とを含む。構築物の補修方法は、接合孔に構築物の補修部材のシャフトを挿入し、第一面体と天板とが同一平面になり、第二面体と第一側面板とが同一平面になり、第三面体と構築物の第二側面板とが同一平面になるように位置合わせして構築物の補修部材を取り付ける工程とを含む。
補修部材の各面体と階段の面とが同一平面にあるため、人が躓くこともなく外観上の見栄えも良い。また、シャフトが接合穴にしっかりと接着されており、繰り返しの衝撃に耐えられる。
【図面の簡単な説明】
【０００８】
【図１】本発明の第一実施形態に係る補修部材の平面図である
【図２】図１のＩＩ方向矢視図である。
【図３】図２のＩＩＩ方向矢視図である。
【図４】図１のＩＶ―ＩＶ線断面図である。
【図５】本発明の第一実施形態に係る補修部材の使用方法の説明図である。
【図６】本発明の第一実施形態に係る補修部材の使用方法の説明図である。
【図７】本発明の第一実施形態に係る補修部材の使用方法の説明図である。
【図８】本発明の第一実施形態に係る補修部材の使用方法の説明図である。
【図９】本発明の第一実施形態に係る補修部材の使用方法のフローチャートである。
【図１０】本発明の第一実施形態に係る補修部材の使用方法の説明図である。
【図１１】本発明の第一実施形態に係る補修部材の使用方法の説明図である。
【図１２】本発明の第一実施形態に係る補修部材の使用方法の説明図である。
【図１３】本発明の第一実施形態に係る補修部材の使用方法の説明図である。
【図１４】本発明の第一実施形態に係る補修部材の使用方法の説明図である。
【図１５】本発明の第一実施形態に係る補修部材の使用方法の説明図である。
【図１６】本発明の第一実施形態に係る補修部材の使用方法の説明図である。
【図１７】本発明の第二実施形態に係るシャフトの正面図である。
【図１８】本発明の第三実施形態に係る本体の平面図である
【図１９】本発明の第三実施形態に係る補修部材の使用方法の説明図である。
【発明を実施するための形態】
【０００９】
以下、本発明の実施形態について、図面に基づいて説明する。なお、以下の複数の実施形態について、同一の構成部位には同一の符号を付し、説明を省略する。
（第一実施形態）
本発明の第一実施形態に係る構築物の補修部材について図１から図４に基づいて説明する。本実施形態による補修部材１０は階段隅の欠落部の補修に適用される。
補修部材１０は、外観が三角錐状の本体６０と、本体６０に繋がるシャフト４０とからなる。本体６０を構成する第一面体１２と第二面体１４と第三面体１６とは相互に９０°をなしている直角二等辺三角形状の板材である。底面を有しない三角錐状の本体６０とシャフト４０とは金属製であり、例えば、防錆性がよく、硬度の高いＳＵＳ３０４を使用する。
【００１０】
第一共有辺２６は第一面体１２と第二面体１４とが共有する辺である。第二共有辺２８は第一面体１２と第三面体１６とが共有する辺である。第三共有辺３０は第二面体１４と第三面体１６とが共有する辺である。
第一頂部３２は第一面体１２と第二面体１４と第三面体１６とで共有する頂点部分である。第二頂部３４は第一面体１２と第二面体１４とが共有する頂点部分である。第三頂部３６は第二面体１４と第三面体１６とが共有する頂点部分である。第四頂部３８は第一面体１２と第三面体１６とが共有する頂点部分である。
【００１１】
補修部材１０は以下のように製造する。
第一面体１２と第二面体１４と第三面体１６とが相互に９０°をなすように３辺をつきあわせ、各面体の内側から溶接により各辺が接合される。
シャフト４０の「固定端」としての端部４４を第一頂部３２の内側に溶接で接合される。シャフト４０のもう一方の「自由端」としての端部４６は固定されない。
【００１２】
第一頂部３２、第一共有辺２６、第二共有辺２８及び第三共有辺３０をそれぞれ外側からグラインダとペーパーヤスリとで各周辺部を面取りし、表面が滑らかで緩やかな凸形状となるようにする。
【００１３】
補修部材１０の使用例について、図１、及び図５から図８に基づいて説明する。
最初に補修部材を用いる構築物としての階段１００の形成方法と、階段１００の隅角部に発生するタイル欠落とについて説明する。
図５に示すように、地面などの下平坦面１０１の上に方形のコンクリートブロック１０２を設置する。コンクリートブロック１０２は、上平坦面１０３と、上平坦面１０３に対して下平坦面１０１から垂直に立ち上がる第一側面１０４と、上平坦面１０３に対して下平坦面１０１から垂直に立ち上がり、第一側面１０４と直角に接する第二側面１０５とを有している。
図６に示すように、上平坦面１０３に天板１１０と、第一側面板１１２と第二側面板１１４とを接着剤で貼り付け、階段１００を形成する。
【００１４】
階段１００の隅角部に衝撃等が加わり、天板１１０の一部が欠落した状態を図７に示す。天板１１０の隅角部が欠落したことにより、コンクリートの上平坦面１０３の一部が露出している。このような欠落があると調和が失われ、美感を損なう。さらに、雨天時に雨水などが浸透し、天板１１０とコンクリートとの接着性が悪くなり欠落部の面積は大きくなっていく。
【００１５】
補修部材１０を階段１００の隅角部への取り付けは以下のように行う。
天板１１０と、第一側面板１１２と、第二側面板１１４とを補修部材の第一面体１２と第二面体１４と第三面体１６との形状に合わせて切り取る。
階段の隅角部にシャフトが入る穴を開口する。接着剤を塗布し、図８に示すように、補修部材１０を階段の隅角部に取り付け、接着剤が乾燥するまで放置し、固定する。
【００１６】
本実施形態に係る補修部材１０を構築物としての階段１００の隅角部のタイル欠落に用いて補修した効果を説明する。
補修部材１０はＳＵＳ３０４製の金属板とシャフトとから溶接のみで作成することができ、低コストである上、小さく運搬も容易である。
補修部材１０は硬度が高い材料であるので、タイル製の天板１１０などに比べると、靴底などから繰り返しの衝撃を受けたり、落下物の衝撃を受けたりしても割れにくく、長期使用に耐えうる。さらに、防錆性も高く、長期間使用していても外観が劣化しにくい。
【００１７】
補修部材１０は欠落部のみを補修するものであり、天板１１０の欠落部以外はそのまま使用を続けることができる。したがって、天板１１０と、第一側面板１１２及び第二側面板１１４との間の統一感が失われることはなく美感を損ねない。
【００１８】
次に、本発明の第一実施形態に係る構築物の補修部材１０を用いた補修方法について、構築物として階段１００を例にとり、図１、及び図９から図１６に基づいて説明する。
【００１９】
図９に示すステップＳ１のケガキ工程について説明する。
ケガキ線を描く際に必要なケガキ部材１６０について図１０に示す。ケガキ部材１６０は、外観が底面のない三角錐状である。ケガキ部材１６０を構成する第一面体１６１と第二面体１６２と第三面体１６３とは相互に９０°をなしている直角二等辺三角形状の板材である。ケガキ部材１６０を構成する各直角二等辺三角形状の板材は、補修部材１０の本体６０を構成する第一面体１２と同じ大きさと厚みである。
【００２０】
ケガキ部材１６０は補修部材１０の本体６０を製造するのと同様に、第一面体１６１と第二面体１６２と第三面体１６３を相互に９０°になるよう各辺をつきあわせ、各面体の内側から溶接により各辺を接合することで製造される。
【００２１】
階段１００の隅角部にケガキ部材１６０を以下のように取り付ける。ケガキ部材１６０の第一面体１６１の内側面と天板１１０とが平行に接触し、第二面体１６２の内側面と第一側面板１１２とが平行に接触し、第三面体１６３の内側面と第二側面板１１４とが平行に接触するように位置合わせする。ケガキ部材１６０を階段１００の隅角部に取り付けた状態を図１１に示す。
ここで、ケガキ部材１６０の輪郭に沿って、黒マジックで天板１１０に第一ケガキ線１６６を、第一側面板１１２に第二ケガキ線１６７を、第二側面板１１４に第三ケガキ線１６８を描く。ケガキ線が描かれた状態を図１２に示す。
ケガキ線を描いた後、ケガキ部材１６０を階段１００の隅角部から取り外す。
【００２２】
ステップＳ２の斜面形成工程について図１３と図１４に基づいて説明する。
ステップＳ１で描いたケガキ線に沿って天板１１０、第一側面板１１２及び第二側面板１１４をサンダーで削る。これにより天板１１０、第一側面板１１２及び第二側面板１１４の断面が露出する。さらに、コンクリートブロックの隅角部１２０が露出する。この状態を図１２に示す。
【００２３】
コンクリートの露出した隅角部１２０は外観が三角錐状である。隅角部１２０は、階段１００の隅角部を頂点とし、コンクリートの下地面１３１、１３２及び１３３の三角面を側面とする。隅角部１２０は、下地面１３１、１３２及び１３３の辺１４１、１４２及び１４３を３辺とする仮想的な三角形状の底面１３０を有する。
天板１１０の断面１３５は、下地面１３１に対して垂直である。第一側面板１１２の断面１３６は下地面１３２に対して垂直である。第二側面板１１４の断面１３７は下地面１３３に対して垂直である。
【００２４】
その後、隅角部１２０をタガネやノミで削りとり、三角形状の底面１３０を露出させる。隅角部１２０が形成された状態を図１３に示す。底面１３０は天板１１０、第一側面板１１２及び第二側面板１１４とそれぞれ４５°の角度を有している。
底面１３０が形成された状態を図１４に示す。
【００２５】
ステップＳ３の接合孔開口工程について図１５に基づいて説明する。
底面１３０の重心位置にコンクリートドリルで接合孔１４０を底面１３０に垂直になるように開口する。接合孔１４０の深さはシャフト４０の長さよりも長くなるようにする。接合孔１４０の径はシャフト４０の径より１．５〜２倍程度になるようにする。
掃除機等で穴を開けた際にでるコンクリート等の削りカスを吸引し、接合孔１４０の内部を清浄な状態にする。
【００２６】
ステップＳ４の接着剤塗布工程について説明する。
天板１１０の断面１３５と、第一側面板１１２の断面１３６と、第二側面板１１４の断面１３７とにエポキシ系の２液性接着剤の１５０を塗布する。接合孔１４０に接着剤１５０を充填する。
【００２７】
ステップＳ５の補修部材取付工程について図１６に基づいて説明する。
接合孔１４０に補修部材１０のシャフト４０を差し込み、補修部材１０と階段１００の隅角部を接合する。このとき、第一面体１２と天板１１０とが同一平面になり、第二面体１４と第一側面板１１２とが同一平面になり、第三面体１６と第二側面板１１６とが同一平面になるように位置合わせして補修部材１０を階段１００の隅角部に取り付ける。
補修部材１０と階段１００の隅角部との接着面から、漏れ出た接着剤１５０はヘラなどでこそぎ落とし、ウェスで拭き取る。
【００２８】
ステップＳ６の乾燥工程について説明する。
接着剤１５０が十分に乾燥し、補修部材１０と階段１００の隅角部とが十分に接着するまで１日程度放置する。接着剤１５０は乾燥後に収縮し、凹面状の目地を形成する。
【００２９】
ステップＳ７のコーキング工程について説明する。
凹面状の目地の上に、コーキング剤やシーリング剤を上塗りする。コーキング剤やシーリング剤は天板１１０の色と近いものを選択する。
上塗り後、コーキング剤やシーリング剤が乾燥し、硬化するまで放置する。
以上、本実施形態に係る補修部材１０を用いた構築物の補修方法について説明した。
【００３０】
本発明の第一実施形態に係る構築物の補修部材１０を用いた補修方法の効果について説明する。
補修部材１０を使用した補修方法は、天板１１０を貼り替える作業に比べると、単純であり、補修部材１０も低コストであるため、工事費用を抑制できる。また、修復後に天板１１０と第一面体１２とが同一平面にあるので、人が段差で躓くことを防止できる。
ケガキを行う際、補修部材１０の本体と同一サイズのケガキ部材１６０を使用しており、補修部材１０のサイズに合わせて天板１１０、第一側面板１１２及び第二側面板１１４を正確に削ることができる。
補修部材の各面体と階段の面とが同一平面にあるため、人が躓くこともなく、外観上の見栄えも良い。
【００３１】
雨水等が、補修部材１０と階段１００の隅角部との間に浸入すると、雨水等が接着剤１５０を劣化させて、接着強度が減少する。しかし、上塗りされたコーキング剤やシーリング剤が雨水等の浸入を妨げるので、接着剤１５０の劣化を防げる。さらに、目地部分の色合いが天板１１０と調和し、良好な美感が得られる。
【００３２】
（第二実施形態）
次に本発明の第二実施形態に係る構築物の補修部材について説明する。
本実施形態では、補修部材のシャフト部について、第一実施形態と異なる。
図１７（ａ）に示すように、本実施形態の補修部材が備えるシャフト２４０は、シャフト２４０の外周壁をリング状に取り巻く凸部２４２を有する。凸部２４２はシャフトの軸方向に間隔をあけて、複数形成されている。凸部２４２は旋盤などによって加工される。
図１７（ｂ）に示すように、本実施形態の補修部材が備えるシャフト３４０は外壁にサンドブラストなどで加工され表面に無数の細かい凹凸がついた粗面３４２を有する。粗面３４２の面粗さは、粗面が形成されていないシャフト２４０の外周壁の面粗さよりも大きい。粗面３４２は他に、グラインダ、サンダーなどで加工されてもよい。
補修部材の本体とシャフト２４０、３４０とは第一実施形態と同様に溶接で接合される。
本実施形態に係る補修部材の階段の隅角部への使用例は、第一実施形態と同様である。
【００３３】
本実施形態に係る補修部材を用いた場合、凸部２４２及び粗面３４２を含んだシャフトの表面積は第一実施形態シャフトの表面積よりも増加する。そのため、接合孔１４０に挿入されたシャフト２４０、３４０と接着剤１５０との接触面積が増加し、接着強度が増加する。したがって、大きな力が加わってても、補修部材が階段の隅角部から取れにくくなる。そのため、第一実施形態の補修部材を用いたときの効果に加えて、より長期間に亘って安定して階段の隅角部を保護できる。
【００３４】
（第三実施形態）
次に本発明の第三実施形態に係る構築物の補修部材について説明する。
本実施形態では、補修部材の本体について、第一、第二実施形態と異なる。
図１８（ａ）に示すように、本実施形態の補修部材２１０の本体２６０は第一面体２１２のみが直角二等辺三角形である。第二面体２１４と第三面体２１６とは形状が同一の直角三角形である。
図１８（ｂ）に示すように、本実施形態の補修部材３１０の本体３６０は第一面体３１２と第二面体３１４と第三面体３１６とがそれぞれ異なった形状の直角三角形である。
第一、第二実施形態に係るシャフトが、本体２６０、３６０と同様に溶接で接合される。
【００３５】
本実施形態に係る補修部材２１０、３１０を使用すると、様々な形状の階段１００の欠落部を効率的に補修できる。たとえば、図１９（ａ）に点線で示す欠落１１８を補修しようとした場合、上記第一、第二実施形態の補修部材１０を使用すると、天板１１０と第一側面板１１２と第二側面板１１４とを同じ面積で削る必要がある。
【００３６】
一方、第一、第二実施形態の補修部材１０に代えて、補修部材２１０を使用した場合には、他の面体よりも相対的に大きい第一面体２１２が天板１１０を補修し、第二面体２１４と第三面体２１６とがそれぞれ第一側面板１１２と第二側面板１１４とを補修するようにする。このときは、図１９（ｂ）に示すように、第一側面板１１２と第二側面板１１４とを切り取る面積は、第一、第二実施形態の補修部材１０を使用した場合に比べてより少ない。したがって、第一、第二実施形態に係る補修部材を使用したときの効果に加えて、より良好な美感が得られる。
【００３７】
（第四実施形態）
次に本発明の第四実施形態に係る構築物の補修部材について説明する。
本実施形態では、補修部材の材質について、金属製に代えて剛性と靱性とが高い樹脂で構成する。ポリアセタール、ポリアミド、ポリエーテルエーテルケトン、ポリエーテルイミドなどが好ましい樹脂である。
【００３８】
第一、第二、第三実施形態では本体は溶接により形成したが、それに代えて接着剤や溶剤を用いた手法により形成することができる。または、射出成形などの樹脂成形方法で本体とシャフトとを一体で成形することもできる。
実施形態に係る補修部材を用いると、第一、第二、第三実施形態の効果に加えて、低コストであるうえ、塑性変形しにくく防錆性がよいという効果が得られる。
【００３９】
（その他の実施形態）
本発明に係る構築物の補修部材は、階段の隅角部の他に、コンクリートブロック塀など様々な構築物の隅角部の補修に使用できる。また、適用可能な材質はコンクリートに限らず、木製や煉瓦、あるいは樹脂等で形成された構築物の隅角部であってもよい。
以上、本発明は上記実施形態に限定されるものではなく、その要旨を逸脱しない範囲で種々の形態で実施可能である。
【符号の説明】
【００４０】
１０  ２１０  ３１０  補修部材
１２  ２１２  ３１２  第一面体
１４  ２１４  ３１４  第二面体
１６  第三面体
２６  第一共有辺
２８  第二共有辺
３０  第三共有辺
３２  第一頂部、
４０  ２４０  ３４０  シャフト、４４  固定端、  ４６  自由端、６０  本体
１００  階段、  １１０  天板、  １１２  第一側面板、  １１４  第二側面板
１１０  欠落部、  １３０底面、  １４０  接合孔、  １５０  接着剤
１６０  ケガキ部材
【図１】
2018131778.tif 000003
【図２】
2018131778.tif 000004
【図３】
2018131778.tif 000005
【図４】
2018131778.tif 000006
【図５】
2018131778.tif 000007
【図６】
2018131778.tif 000008
【図７】
2018131778.tif 000009
【図８】
2018131778.tif 000010
【図９】
2018131778.tif 000011
【図１０】
2018131778.tif 000012
【図１１】
2018131778.tif 000013
【図１２】
2018131778.tif 000014
【図１３】
2018131778.tif 000015
【図１４】
2018131778.tif 000016
【図１５】
2018131778.tif 000017
【図１６】
2018131778.tif 000018
【図１７】
2018131778.tif 000019
【図１８】
2018131778.tif 000020
【図１９】
2018131778.tif 000021